(57)【要約】【課題】  車の後部座席は、空席の場合には荷物を置く場所になり得るが、保持具が無いので車が揺れたり急ブレーキがかかった場合には、前方に荷物の落下する恐れがあり壊れ易い荷物を安心して後部座席に置く事が出来なかった。【解決手段】  四角形状の柔軟性素材よりなるシートと、上記シートの四隅に一端が固定された固定用ベルトと上記固定ベルトに固定され  ベルト同志を連結する為の締結具よりなる車用荷物保持具を後部座席シートに取付けることにより本発明の保持具と後部座席シートの間に荷物を載置することを可能とした。【選択図】図１
2013095217.tif 000002
【特許請求の範囲】
【請求項１】
四角形状の柔軟性素材よりなるシートと、上記シートの四隅に一端が固定された固定用ベルトと上記固定ベルトに固定され  ベルト同士を連結する為の締結具よりなる車用荷物保持具。
【請求項２】
シートの表面側にポケットを設けた請求項１記載の車用荷物保持具。
【請求項３】
シート１の裏面側に保冷バックを着脱可能に取付ける為の面ファスナーを取付けた請求項１記載の車用荷物保持具。
【発明の詳細な説明】
【技術分野】
【０００１】
本発明は、車の後部座席を利用して荷物を保持出来る車用荷物保持具に関するものである。
【背景技術】
【０００２】
車の後部座席は、空席の場合には荷物を置く場所になり得るが、保持具が無いので車が揺れたり急ブレーキがかかった場合には、前方に荷物の落下する恐れがあり、壊れ易い荷物を安心して後部座席に置く事が出来なかった。
【先行技術文献】
【特許文献】
【０００３】
【特許文献１】特開２０００−３１８５７２
【特許文献２】特開２００７−１１８９１５
【特許文献３】登録実用新案第３０８１３９４号
【発明の概要】
【発明が解決しようとする課題】
【０００４】
本発明は、後部座席の空間を利用しつつ荷物を後部座席に安定に保持し得る保持具を提供しようとするものである。
【課題を解決するための手段】
【０００５】
本発明は、四角形状の柔軟性素材よりなるシートと、上記シートの四隅に一端が固定された固定用ベルトと上記固定ベルトに固定され  ベルト同士を連結する為の締結具よりなる車用荷物保持具で、後部座席シートに取付けることにより本発明の保持具と後部座席シートの間に荷物を載置することを可能とした事を特徴とする。
【０００６】
請求項２の発明では、シートの前面にポケットを設けた事を特徴とする。
【０００７】
請求項３の発明では、シートの裏側に保冷バッグを着脱可能に取付ける為の面ファスナーを設けた事を特徴とする。
【発明の効果】
【０００８】
請求項１の発明によれば、後部座席の空間を利用して荷物を安定に保持する事が出来る。しかも、後部座席に簡単に取り付ける事が出来るので必要な時のみ取り付けすれば良いので車内の美観を損なう恐れが無い。
【０００９】
請求項２の発明によれば、シートに収納ポケットを設けた事で、細かな物を入れておいたり、ＥＣＯバッグ等の常備に利用出来る。
【００１０】
請求項３の発明によれば、保冷・保温の必要な物に対応が出来るので買い物時に、保冷の必要な食品などの温度を保つ事が出来る。
【図面の簡単な説明】
【００１１】
【図１】本発明の車用荷物保持具単体を示す図である。
【図２】（Ａ）、同車用荷物保持具の裏側に保冷バッグを片側に装着した時を示す図である。（Ｂ）保冷バッグの裏側を示す図である。
【図３】同車用荷物保持具を後部座席に装着した時を示す図である。
【図４】同車用荷物保持具を後部座席に装着した時の後方を示す図である。
【図５】本発明の他の実施形態の車用荷物保持具の裏側を示す図である。
【図６】図５の車用荷物保持具を装着した後部座席の後方から見た図である。
【発明を実施するための形態】
【００１２】
この発明の実施の形態を図１〜図４を用いて説明する。
【００１３】
図１において１は、シートで布製の柔軟性素材で全体が四角形をなし、四角形の長辺の上 下端部が筒状に縫付けられて筒状部４Ａ、４Ｂが形成され、  その中にゴムベルトを通すとともにシート1に縫い付けなどにより固定され、シートの上下端部が伸縮可能になるように構成されている。
【００１４】
２Ａ、２Ｂは、ポケットでシート１の前面に２個設けられ、シート１に縫付けられている。
【００１５】
５Ａ、５Ｂ、５Ｃ、５Ｄは、シート１の４隅にそれぞれ縫付けによって固定されたゴムベルトでそれぞれの先端には、締結具６Ａ、６Ｂ、６Ｃ、６Ｄが取り付けられている。締結具６Ａと６Ｃ、締結具６Ｂ、６Ｄがそれぞれ結合し合うような構造になっていて、ゴムベルト５Ｂと５Ｄには長さ調節用のサイズ調整リング７Ａ、７Ｂがそれぞれ取り付けられている。
【００１６】
図２（Ａ）は、シート１の裏側を示すもので、９Ａ，９Ｂは図２（Ｂ）に示す保冷バッグ８を取り付ける為の帯状の雌型面ファスナーでシート１の裏側に縫付けにより平行に固定されている。図２（Ｂ）に示すように保冷バッグ８の裏面側には雄型面ファスナー９Ｃ、９Ｄが固定され面ファスナー９Ａと９Ｄ、９Ｂと９Ｃが重なり合うようにする事により保冷バッグ８がシート１の裏側に取り外し可能に取付けられるように構成されている。図２（Ａ）は、保冷バッグ８が１つだけ取付けられている状態を示すものであるが同じように面ファスナー９Ａ、９Ｂに、もう１つの保冷バッグ８を同じように取り付ける事も可能である。
【００１７】
図３及び図４は、本発明の車用荷物保持具を後部座席に取り付けた状態を示すもので、後部座席の背もたれ部１０の前面に重なるようにシート１をゴムベルト５Ａ、５Ｂ、５Ｃ、５Ｄにより固定する。すなわち図４に示すようにゴムベルト５Ａに取り付けた締結具６Ａとゴムベルト５Ｄに取り付けた締結具６Ｄが、そして、ゴムベルト５Ｂに取り付けた締結具６Ｂとゴムベルト５Ｃに取り付けた締結具６Ｃが結合し、背もたれ部１０の後部で交差するようにゴムベルト５Ａ、５Ｂ、５Ｃ、５Ｄで締め付けて固定する。
【００１８】
荷物を入れる時は、シート１の上下部に設けた筒状部４Ａ，４Ｂが内蔵されたゴム により伸縮するのでシート１の上部をひっぱり荷物をシート１と背もたれ部１０の間に納め、手を離す。シート１の布が伸縮素材なので荷物分だけ伸び、上下の筒状部４Ａ、４Ｂは内蔵されたゴムの作用により、背もたれ部１０にフィットするので荷物が安定するうえに、出し入れも容易である。
【００１９】
また、前面にポケット２Ａ、２Ｂを設ける事で小物の収納場所が出来、ＥＣＯバッグなども常備することが出来る。
【００２０】
さらに、裏側の保冷バック８を取外し可能にする事により、買い物時には、店内に持って入る事が、可能となり保温・保冷の必要な物に対応が出来る。
【００２１】
また、以上の実施形態においては、ベルトがゴム製であるが紐とする事も出来る。
【００２２】
また図５及び図６は、ベルト部の形状を違う形で実施した例を示すもので、シート１、ポケット２Ａ、２Ｂ、保冷バッグ８、筒状部４Ａ、４Ｂは、図１、図２Ａ、図２Ｂに示した第１の実施形態のものと同じである。５Ｅは、四角形のシート１の左辺の上下の隅に両端を縫付けなどによってそれぞれ固定されたゴムベルト、５Ｆは同様にシート１の右辺の上下の隅に両端を縫い付けなどによってそれぞれ固定されたゴムベルトで、それぞれの中央部に連結用のゴムベルト５Ｇ、５Ｈがそれぞれ縫い付けなどによって固定されている。ゴムベルト５Ｇ，５Ｈのそれぞれの先端には、締結具６Ｅ、６Ｆが取り付けられていて、ゴムベルト５Ｇには、長さ調節用のサイズ調節リング７Ｃが取り付けられている。図６に示すように背もたれ部１０の裏側で、締結具６Ｅと６Ｆを結合させることにより、ゴムベルト５Ｅ、５Ｆ、５Ｇ、５Ｈで背もたれ部１０に締付け固定される。
また、以上の実施形態では保冷バッグは、取外し可能にしているが固定式にしても良い。
【符号の説明】
【００２３】
１  シート
２Ａ  ２Ｂ  ポケット
４Ａ  ４Ｂ  筒状部
５Ａ  ５Ｂ  ５Ｃ  ５Ｄ  ５Ｅ  ５Ｆ  ゴムベルト
６Ａ  ６Ｃ  ６Ｅ  締結具を構成する雄具
６Ｂ  ６Ｄ  ６Ｆ  締結具を構成する雌具
７Ａ  ７Ｂ  ７Ｃ  サイズ調整リング
８  保冷バッグ
９Ａ  ９Ｂ  雌型面ファスナー
９Ｃ  ９Ｄ  雄型面ファスナー
【図１】
2013095217.tif 000003
【図２】
2013095217.tif 000004
【図３】
2013095217.tif 000005
【図４】
2013095217.tif 000006
【図５】
2013095217.tif 000007
【図６】
2013095217.tif 000008